(57)【要約】【課題】シャフトの端部が可動的に保持される場合でも、シャフトとモータプレートとの間を導通を確保する。【解決手段】装着された光ディスクにレーザ光を照射する光ピックアップユニットと、前記光ピックアップユニットが移動可能に取り付けられるベースと、を備える光ディスク装置であって、前記光ピックアップユニットが前記装着された光ディスクの径方向に移動することをガイドするシャフトを備え、前記ベースは、前記シャフトの端部を保持する支持部を有し、前記ベースには、前記シャフトの端部が前記ベースから離れるように付勢し、前記支持部に設けられるチルトプレートと、前記装着された光ディスクを回転させるモータが取り付けられるモータプレートと、が取り付けられ、前記チルトプレートは、前記モータプレートの方向に延伸し、前記チルトプレートと前記モータプレートとの間を電気的に接続する一つ以上のアース点を有する。【選択図】図７
2013008422.tif 000002
【特許請求の範囲】
【請求項１】
装着された光ディスクにレーザ光を照射する光ピックアップユニットと、
前記光ピックアップユニットが移動可能に取り付けられるベースと、を備える光ディスク装置であって、
前記光ピックアップユニットが前記装着された光ディスクの径方向に移動することをガイドするシャフトを備え、
前記ベースは、前記シャフトの端部を保持する支持部を有し、
前記ベースには、前記シャフトの端部が前記ベースから離れるように付勢し、前記支持部に設けられるチルトプレートと、前記装着された光ディスクを回転させるモータが取り付けられるモータプレートと、が取り付けられ、
前記チルトプレートは、前記モータプレートの方向に延伸し、前記チルトプレートと前記モータプレートとの間を電気的に接続する一つ以上のアース点を有することを特徴とする光ディスク装置。
【請求項２】
前記チルトプレートは、前記チルトプレートを前記ベースに固定する固定部と、前記固定部から延伸する可動部とを含み、
前記チルトプレートは、二つの前記アース点を有し、
第１の前記アース点は、前記固定部から前記モータプレートの方向に延伸するように形成され、
第２の前記アース点は、前記可動部の一部を略垂直に立ち上げて形成されることを特徴とする請求項１に記載の光ディスク装置。
【請求項３】
前記チルトプレートは、前記ベースに取り付けられた際に、前記支持部に位置し、前記シャフトの端部が前記ベースから離れるように付勢するバネ部を有し、
前記チルトプレートが前記ベースに取り付けられた状態で、前記第２のアース点が前記モータプレートから押されることによって、前記バネ部が前記ベース方向に移動し、前記支持部に前記シャフトを前記シャフトの軸方向から挿入する空間を確保することを特徴とする請求項２に記載の光ディスク装置。
【発明の詳細な説明】
【技術分野】
【０００１】
本発明は、光ディスク装置に関し、特に、シャフトのアース構造に関する。
【背景技術】
【０００２】
光ディスクに情報を読み書きする光ディスク装置において、光ピックアップユニットを２本のシャフトで安定的にガイドする構造が採用されている。また、光ピックアップユニットと光ディスクとの間隔を一定に保つことが重要である。このため、光ピックアップユニットをガイドする２本のシャフトの合計４つの端部のうち、一つの端部を固定し、他の三つの端部を光ディスクの回転軸方向に移動し、光ディスクとの距離及び光ピックアップユニットのシーク動作によるその距離の変化を調整可能な機構が設けられていた。
【０００３】
この様な構成において、シャフトとモータプレートとの間の導通を確保するために、シャフトの固定された一端に板バネを設け、シャフトとモータプレートとの間を導通させていた。なお、モータプレートには、光ディスクを回転するためのモータが取り付けられる構造が採用されており、シャフトとモータプレートとの間の導通によって、光ピックアップとモータとの間で同一のグランド電位が維持される。
【０００４】
光ディスク装置において、例えば特許文献１に記載されるように、部材間をアースするアース手段にバネ部材を用いるものがある。
【先行技術文献】
【特許文献】
【０００５】
【特許文献１】特開２０００−１１５５９号公報
【発明の概要】
【発明が解決しようとする課題】
【０００６】
しかし、高い精度が要求される光ディスク（例えば、Ｂｌｕ−ｒａｙ  Ｄｉｓｃ）では、光ピックアップユニットと光ディスクとの間隔に高い精度が要求されるため、光ピックアップユニットをガイドする２本のシャフトの取り付け精度の向上が求められ、２本のシャフトの合計４つの端部の全てにおいて、光ディスクの回転軸方向に移動可能な調整機構を設けることが求められている。このため、シャフトの端部が固定的に保持される箇所がなくなり、従来の方法によってシャフトとモータプレートとの間を導通させることができなくなった。
【０００７】
このため、シャフトの端部が可動的に保持される場合でも、シャフトとモータプレートとの間を導通を確保することが求められる。
【課題を解決するための手段】
【０００８】
本発明の代表的な一例を示せば以下の通りである。すなわち、装着された光ディスクにレーザ光を照射する光ピックアップユニットと、前記光ピックアップユニットが移動可能に取り付けられるベースと、を備える光ディスク装置であって、前記光ピックアップユニットが前記装着された光ディスクの径方向に移動することをガイドするシャフトを備え、前記ベースは、前記シャフトの端部を保持する支持部を有し、前記ベースには、前記シャフトの端部が前記ベースから離れるように付勢し、前記支持部に設けられるチルトプレートと、前記装着された光ディスクを回転させるモータが取り付けられるモータプレートと、が取り付けられ、前記チルトプレートは、前記モータプレートの方向に延伸し、前記チルトプレートと前記モータプレートとの間を電気的に接続する一つ以上のアース点を有する。
【発明の効果】
【０００９】
本発明の実施の形態によると、シャフトの端部が可動する場合でも、シャフトとモータプレートとの間を導通を確保することができる。
【図面の簡単な説明】
【００１０】
【図１】本発明の実施の形態の光ディスク装置のトップケースを外した状態を示す斜視図である。
【図２】本発明の実施の形態の光ディスク装置のトップケースを外した状態を示す上面図である。
【図３】本発明の実施の形態の光ディスク装置のベースアッセンブリの底面図である。
【図４】本発明の実施の形態の光ディスク装置のモータプレートを外した状態のベースアッセンブリの一部の拡大図である。
【図５】本発明の実施の形態の光ディスク装置のチルトプレートの底面図である。
【図６】本発明の実施の形態の光ディスク装置のチルトプレートの側面図である。
【図７】本発明の実施の形態の光ディスク装置のチルトプレートの斜視図である。
【図８】本発明の実施の形態の光ディスク装置のベースアセンブリとモータプレートとが組み付けられた状態の図３のＡＡ断面の斜視図である。
【図９】本発明の実施の形態の光ディスク装置のベースアセンブリとモータプレートとが組み付けられた状態の図３のＢＢ断面の斜視図である。
【図１０】本発明の実施の形態の受け溝付近の各部材の関係を示す模式図である。
【発明を実施するための形態】
【００１１】
図１は、本発明の実施の形態の光ディスク装置のトップケースを外した状態を示す斜視図であり、図２は、その上面図である。
【００１２】
本実施の形態の光ディスク装置は、光ディスクが装着されるトレイ２０を収納する箱形のケースアセンブリを備える。ケースアセンブリは、底面及び三つの壁面によって略箱形を形成するボトムケース１０、及びボトムケース１０の上面に取り付けられるトップケース（図示省略）によって構成される。
【００１３】
トレイ２０には、ベースアッセンブリ３０が取り付けられており、ベースアッセンブリ３０には、光ピックアップユニット３３及びモータが取り付けられている。モータは光ディスクが装着される回転軸４０に接続されており、モータの回転によって、装着された光ディスクが回転する。
【００１４】
光ピックアップユニット３３は、装着された光ディスクに照射されるレーザ光を出力するレーザ光源と、該光ディスクで反射したレーザ光を検出する光電変換素子と、を有する。
【００１５】
図３は、ベースアッセンブリ３０の底面図である。
【００１６】
ベースアッセンブリ３０は、ベースアッセンブリ３０の枠を構成するベース３１及びベース３１の上面（図３では裏側）に取り付けられるベースプレート３２によって構成される。ベース３１には、シャフト３４の端部が挿入される受け溝３６Ａ及び３６Ｂが設けられ、シャフト３５の端部が挿入される受け溝３６Ｃ及び３６Ｄが設けられる。シャフト３４、３５は光ピックアップユニット３３を保持し、光ピックアップユニット３３が、シャフト３４、３５に沿って、光ディスクの径方向に移動することをガイドする。すなわち、受け溝３６Ａ、３６Ｂ、３６Ｃ及び３６Ｄにおけるシャフト３４、３５の位置が、光ピックアップユニット３３と光ディスクとの間の距離を決める。また、受け溝３６Ａ、３６Ｂ、３６Ｃ及び３６Ｄにおけるシャフト３４、３５の位置によって、光ピックアップユニット３３が光ディスクの径方向に移動する際の、光ピックアップユニットと光ディスクとの間隔の変化量が変化する。
【００１７】
ベース３１には、螺旋状の溝が形成されたスクリュー軸３８に結合されたモータ３７が取り付けられており、スクリュー軸３８の溝には、光ピックアップユニット３３に設けられた突起が係合している。このため、モータ３７（スクリュー軸３８）が回転することによって、光ピックアップユニット３３が、シャフト３４、３５にガイドされて、光ディスクの径方向に移動する。
【００１８】
ベースアセンブリ３０には、モータプレート４１が取り付けられており、モータプレート４１にはモータ４２が取り付けられている。モータ４２の回転軸は光ディスクが装着される回転軸４０に接続されており、モータ４２の回転によって装着された光ディスクが回転する。
【００１９】
図４は、モータプレート４１を外した状態におけるベースアッセンブリ３０の一部の拡大図である。
【００２０】
受け溝３６Ｄの近傍のベース３１には、チルトプレート５０が取り付けられている。また、チルトプレート５０の一端部は受け溝３６Ｄ内に位置する。
【００２１】
図５は、チルトプレート５０の底面図、図６は、図５のＣ方向から見た側面図、図７は、その斜視図である。
【００２２】
チルトプレート５０は、ベース３１に取り付けるための穴５３を有する固定部５１、固定部５１から図５における左方向に延伸する第１バネ部（第１のアース点）５２、及び、固定部５１から図５における下方向に延伸するアーム５４によって構成される。
【００２３】
第１バネ部５２は、図５における紙面表側（図６における左側）に立ち上がるように屈曲されており、その先端は立ち上がり方向と逆方向に屈曲されており、モータープレート４１との接触部が曲面を形成するようになっている。このため、チルトプレート５０がベース３１に取り付けられ、ベース３１にモータプレート４１が取り付けられた状態で、第１バネ部５２はモータプレート４１と接触する（図８参照）。
【００２４】
アーム５４は、図５における左方向に延伸しており、さらに、図５における上方向に延伸して、その先端部で第２バネ部５６を形成する。チルトプレート５０がベース３１に取り付けられた状態で、第２バネ部５６は、受け溝３６Ｄの中に位置し、シャフト３４がベース３１から離れる方向に付勢する（図４、図１０参照）。
【００２５】
アーム５４の途中には、アーム５４の側面から立ち上がる様に折り曲げられれた接触部（第２のアース点）５５が設けられている。チルトプレート５０がベース３１に取り付けられ、ベース３１にモータプレート４１が取り付けられた状態で、接触部５５はモータプレート４１と接触する（図９参照）。接触部５５はアーム５４の途中に設けられているので、接触部５５が押圧されることによって、アーム５４が固定部５０と平坦に近い位置になり、第２バネ部５６がベース３１に近づき、第２バネ部５６によるシャフト３４への付勢が減少する。
【００２６】
図８は、ベースアセンブリ３０とモータプレート４１とが組み付けられた状態の図３のＡＡ断面の斜視図であり、図９は、図３のＢＢ断面の斜視図である。
【００２７】
図８、図９に示す状態では、チルトプレート５０は、固定部５１の穴５３においてベース３１にネジ止めされ、固定されている。また、モータプレート４１も、ベース３１にネジ止めされ、固定されている。
【００２８】
この状態において、第１バネ部５２はモータプレート４１に接触している。第１バネ部５２が接触するモータプレート４１の箇所には穴４３が設けられている。穴４３はバーリング加工がされており、穴４３の周辺部がベース３１の側に突出している。このため、第１バネ部５２とモータプレート４１、すなわち、光ピックアップユニット３３とモータ４２との間を確実に接触させる。
【００２９】
また、図９に示す様に、接触部５５は、アーム５４によってモータプレート４１に付勢されて、モータプレート４１に接触している。
【００３０】
図１０は、受け溝３６Ｄ付近の各部材の関係を示す模式図である。
【００３１】
ベース３１に取り付けられたチルトプレート５０は、その第２バネ部５６によってシャフト３４を、モータープレート４１の方向に付勢する。なお、図示するように、チルトプレート５０のアーム５４のバネ力を補強するために、ベース３１と第２バネ部５６との間にコイルバネ３９を介在させてもよい。
【００３２】
モータプレート４１にはスキューネジ４４が取り付けられている。このスキューネジ４４を調整することによって、光ディスクの回転軸方向のシャフト３４の端部の位置が決まる。
【００３３】
第２バネ部５６は、受け溝３６Ｄの内部に挿入されたシャフト３４を、モータプレート４１の方向（すなわち、シャフト３４がベース３１から離れる方向）に付勢する。また、前述したように、接触部５５が押圧されることによって、第２バネ部５６が下がり（ベース３１に近づき）、受け溝３６Ｄにシャフト３４を挿入する空間が確保される。よって、この状態で、シャフト３４を水平方向から受け溝３６Ｄに挿入することができる。
【００３４】
以上に説明したように、本発明の実施の形態によると、シャフトの端部が可動的に保持される場合でも、シャフトとモータプレート（光ピックアップとモータ）との間の導通を確保し、同一のグランド電位が維持される。このため、光ディスク装置の耐静電性を向上し、不要輻射を抑制することができる。
【符号の説明】
【００３５】
１０  ボトムケース
２０  トレイ
３０  ベースアッセンブリ
３１  ベース
３２  ベースプレート
３３  光ピックアップユニット
３４、３５  シャフト
３６Ａ〜３６Ｄ  受け溝
４１  モータプレート
４２  モータ
５０  チルトプレート
５１  固定部
５２  第１バネ部
５４  アーム
５５  接触部
５６  第２バネ部
【図１】
2013008422.tif 000003
【図２】
2013008422.tif 000004
【図３】
2013008422.tif 000005
【図４】
2013008422.tif 000006
【図５】
2013008422.tif 000007
【図６】
2013008422.tif 000008
【図７】
2013008422.tif 000009
【図８】
2013008422.tif 000010
【図９】
2013008422.tif 000011
【図１０】
2013008422.tif 000012